(57)【要約】【課題】複数の脚の開閉操作をステッキと握った手によりステッキを握ったまま素早く軽快に行うことを可能としたステッキを提供する。【解決手段】  操作レバー１７の上がりロック状態において、操作レバー１７を略１／４回転操作してレバーロッド１６を回転させると、ロックピン３６の位置にロック解除傾斜部１４の下部が位置されてロックピン掛り部１５の掛りが外れロック解除状態となって、且つ、回転戻し付勢手段２１がねじれ不勢力が生じ（図６（ｂ））、脚戻し付勢手段２７の付勢力によりインナーシャフト１８、レバーロッド１６および操作レバー１７は下降移動して脚１２ａ〜１２ｄを開き可動させ、該下降移動によるロック解除傾斜部１４がロックピン３６を過ぎると、回転戻し付勢手段２１の戻し付勢力によりレバーロッド１６および操作レバー１７を回転前の位置に自動的に戻し回転させ（図６（ｃ））、脚１２ａ〜１２ｄは開き状態となる。【選択図】図６
2007275535.tif 000002
【特許請求の範囲】
【請求項１】
握り部、この握り部と連絡し且つ該握り部との間に適当な上下距離をあけて設けられた、上下方向に貫通したロッド通し孔を有するステッキパイプ取付部とからなるハンドルと、
前記ステッキパイプ取付部に固定されたステッキパイプと、
このステッキパイプの下方側に設けられた複数の脚を有する開閉脚部と、
前記ロッド通し孔に上下移動可能且つ回転可能に通された、ロック解除傾斜部を有するレバーロッドと、
前記ロック解除傾斜部の下部側に形成されるあるいは設けられたロックピン掛り部と、
前記レバーロッドの上部で前記握り部と前記ステッキパイプ取付部の間に設けられた前記脚の開閉操作を行う操作レバーと、
前記ステッキパイプに通されて前記レバーロッドに連結されあるいは該レバーロッドと一体形成され且つ前記開閉脚部に連結されてなるインナーシャフトと、
前記レバーロッドあるいは前記インナーシャフトに設けられた、前記操作レバーの回転操作により前記レバーロッドが回転させられるとねじれ付勢、引張り付勢、押え付け付勢、巻き込み付勢などの戻し付勢力が生じ、該操作レバーを解放すると該戻し付勢力により該レバーロッドおよび前記操作レバーを回転前の位置に自動的に戻し回転させるための回転戻し付勢手段と、
前記インナーシャフトの下部と前記脚とを連結して、前記操作レバーの上下操作による該インナーシャフトの下部の上下可動により該脚の開閉可動が行われるようにしてなる脚開閉機構部と、
前記操作レバーの上げ操作によって付勢力が強められ、それにより開き状態あるは閉じ状態となった前記脚を、その強まった付勢力により閉じ状態あるは開き状態に戻そうとする圧縮コイルバネや引っ張りコイルバネなどの脚戻し付勢手段と、
前記操作レバーの引き上げ操作で前記ロックピン掛り部が掛って該操作レバーの上げ状態および前記脚の開き状態あるいは閉じ状態を自動的にロックする、圧縮コイルバネなどのロックピン付勢手段によりロック付勢状態にされてなるロックピンを有するロックピン部とからなり、
前記ロックピンに前記ロックピン掛り部が掛った前記操作レバーの上がりロック状態において、該操作レバーを回転操作して前記レバーロッドを回転させると、該ロックピンの位置に前記ロック解除傾斜部の下部が位置されて該ロックピン掛り部の掛りが外れ無くなったロック解除状態となって、前記脚戻し付勢手段の付勢力により前記インナーシャフト、該レバーロッドおよび該操作レバーは下降移動して前記脚を開き可動あるいは閉じ可動させ、該下降移動による前記ロック解除傾斜部が前記ロックピンを過ぎると、前記回転戻し付勢手段の戻し付勢力により該レバーロッドおよび前記操作レバーを回転前の位置に自動的に戻し回転させるように動作することを特徴とするステッキ。
【請求項２】
ロックピン部が、
ステッキパイプを通すステッキパイプ通し孔およびロックピン可動部を有するロックピンホルダーと、
前記ロックピン可動部に可動可能にセットされたロックピンと、
このロックピンを常にロック付勢するロックピン付勢手段と、
前記ロックピンホルダの両側に設けられた案内溝や案内突起などからなるプッシュバー案内部と、
このプッシュバー案内部に支持案内されるように設けられた、一方の側に指でプッシュするプッシュ部を有し、且つ、他方には前記ロックピンホルダーの外に突出された前記ロックピンの端方を固定してなるロックピン固定部を有してなるスライドするプッシュバーとからなっていて、
前記プッシュバーの解放状態では前記ロックピン付勢手段の付勢力による自動ロック可能状態にあって、前記プッシュバーのプッシュ部を押し操作すると該プッシュバーは移動し、その移動にともなって前記ロックピンも前記ロックピン付勢手段の付勢力に抗して外側に移動してロック解除状態になることを特徴とする請求項１記載のステッキ。
【発明の詳細な説明】
【技術分野】
【０００１】  本発明はステッキに関する。
【背景技術】
【０００２】  従来、特開２００５−１７６９８３（杖）の図４、図５に、握り部４（ハンドル）と、この握り部４（ハンドル）の下部の棒固定部３（ステッキパイプ取付部）に固定された棒部５（ステッキパイプ）と、この棒部５（ステッキパイプ）の下部に開閉可動に設けられた４本の脚指６ａ〜６ｄ（脚）と、棒部５（ステッキパイプ）に通されてその上部を握り部４（ハンドル）内に突き出させ且つ下部を脚指６ａ〜６ｄ（脚）内に位置させてなる操作連絡部２５（インナーシャフト）と、この操作連絡部２５（インナーシャフト）の上部に設けられた、握り部４（ハンドル）内を上下可動する開閉操作部２４（操作レバー）と、操作連絡部２５（インナーシャフト）の下部と脚指６ａ〜６ｄ（脚）とを連結して操作連絡部２５（インナーシャフト）の上下可動により脚指６ａ〜６ｄ（脚）の開閉可動を実現する開閉機構部２３（脚開閉機構部）と、開閉操作部２４（操作レバー）および操作連絡部２５（インナーシャフト）を下ろすとその付勢力を強めて押し戻し付勢力となる圧縮コイルバネ２８（脚戻し付勢手段）と、握り部４（ハンドル）の根元に設けた開閉操作部２４（操作レバー）の下がり状態をロックするためのキーボタン３２（ロックピン）とからなていて、脚指６ａ〜６ｄ（脚）を開き状態とする場合は、開閉操作部２４（操作レバー）および操作連絡部２５（インナーシャフト）を下ろして該下ろし状態をキーボタン３２（ロックピン）でロック状態とし、脚指６ａ〜６ｄ（脚）を閉じ状態とする場合は、キーボタン３２（ロックピン）を押し込んでロック解除状態とすることにより、圧縮コイルバネ２８の付勢力により開閉操作部２４（操作レバー）および操作連絡部２５（インナーシャフト）を押し上げるように動作する杖（ステッキ）が開示されている。【０００３】  したがって、キーボタン３２（ロックピン）のロック状態を解除するためには、ステッキを握っていない他方の手でキーボタン３２（ロックピン）を押すか、ステッキを腿に預けて握った手を離しその手でキーボタン３２（ロックピン）を押さなければならないものであった。
すなわち、ステッキを握らない他方の手に重い荷物を持っている場合は、荷物を地面に下ろさなくてはならない、腿にステッキを寄りかけて、ステッキを握る手を離しその手でキーボタン３２（ロックピン）を押し操作しようとした場合には、お年寄りなど身体動作が不自由な人はステッキを倒してしまう可能性があるなどの欠点を有するものであった。
【特許文献１】特開２００５−１７６９８３（杖）
【非特許文献１】特になし
【発明の開示】
【発明が解決しようとする課題】
【０００４】  本発明は以上のような従来技術の欠点に鑑み、複数の脚の開閉操作をステッキと握った手によりステッキを握ったまま素早く軽快に行うことを可能としたステッキを提供することを目的としている。
【課題を解決するための手段】
【０００５】  上記目的を達成するために本発明は次に述べるような構成となっている。
＜請求項１記載の発明＞
握り部、この握り部と連絡し且つ該握り部との間に適当な上下距離をあけて設けられた、上下方向に貫通したロッド通し孔を有するステッキパイプ取付部とからなるハンドルと、前記ステッキパイプ取付部に固定されたステッキパイプと、このステッキパイプの下方側に設けられた複数の脚を有する開閉脚部と、前記ロッド通し孔に上下移動可能且つ回転可能に通された、ロック解除傾斜部を有するレバーロッドと、前記ロック解除傾斜部の下部側に形成されるあるいは設けられたロックピン掛り部と、前記レバーロッドの上部で前記握り部と前記ステッキパイプ取付部の間に設けられた前記脚の開閉操作を行う操作レバーと、前記ステッキパイプに通されて前記レバーロッドに連結されあるいは該レバーロッドと一体形成され且つ前記開閉脚部に連結されてなるインナーシャフトと、前記レバーロッドあるいは前記インナーシャフトに設けられた、前記操作レバーの回転操作により前記レバーロッドが回転させられるとねじれ付勢、引張り付勢、押え付け付勢、巻き込み付勢などの戻し付勢力が生じ、該操作レバーを解放すると該戻し付勢力により該レバーロッドおよび前記操作レバーを回転前の位置に自動的に戻し回転させるための回転戻し付勢手段と、前記インナーシャフトの下部と前記脚とを連結して、前記操作レバーの上下操作による該インナーシャフトの下部の上下可動により該脚の開閉可動が行われるようにしてなる脚開閉機構部と、前記操作レバーの上げ操作によって付勢力が強められ、それにより開き状態あるは閉じ状態となった前記脚を、その強まった付勢力により閉じ状態あるは開き状態に戻そうとする圧縮コイルバネや引っ張りコイルバネなどの脚戻し付勢手段と、前記操作レバーの引き上げ操作で前記ロックピン掛り部が掛って該操作レバーの上げ状態および前記脚の開き状態あるいは閉じ状態を自動的にロックする、圧縮コイルバネなどのロックピン付勢手段によりロック付勢状態にされてなるロックピンを有するロックピン部とからなり、
前記ロックピンに前記ロックピン掛り部が掛った前記操作レバーの上がりロック状態において、該操作レバーを回転操作して前記レバーロッドを回転させると、該ロックピンの位置に前記ロック解除傾斜部の下部が位置されて該ロックピン掛り部の掛りが外れ無くなったロック解除状態となって、前記脚戻し付勢手段の付勢力により前記インナーシャフト、該レバーロッドおよび該操作レバーは下降移動して前記脚を開き可動あるいは閉じ可動させ、該下降移動による前記ロック解除傾斜部が前記ロックピンを過ぎると、前記回転戻し付勢手段の戻し付勢力により該レバーロッドおよび前記操作レバーを回転前の位置に自動的に戻し回転させるように動作するステッキを構成している。
＜請求項２記載の発明＞
請求項１記載の発明の構成において、
ロックピン部が、
ステッキパイプを通すステッキパイプ通し孔およびロックピン可動部を有するロックピンホルダーと、前記ロックピン可動部に可動可能にセットされたロックピンと、このロックピンを常にロック付勢するロックピン付勢手段と、前記ロックピンホルダの両側に設けられた案内溝や案内突起などからなるプッシュバー案内部と、このプッシュバー案内部に支持案内されるように設けられた、一方の側に指でプッシュするプッシュ部を有し、且つ、他方には前記ロックピンホルダーの外に突出された前記ロックピンの端方を固定してなるロックピン固定部を有してなるスライドするプッシュバーとからなっていて、
前記プッシュバーの解放状態では前記ロックピン付勢手段の付勢力による自動ロック可能状態にあって、前記プッシュバーのプッシュ部を押し操作すると該プッシュバーは移動し、その移動にともなって前記ロックピンも前記ロックピン付勢手段の付勢力に抗して外側に移動してロック解除状態になるステッキを構成している。
【発明の効果】
【０００６】  以上の説明から明らかなように、本発明にあっては次に列挙する効果が得られる。
＜請求項１記載の発明の効果＞
握り部、この握り部と連絡し且つ該握り部との間に適当な上下距離をあけて設けられた、上下方向に貫通したロッド通し孔を有するステッキパイプ取付部とからなるハンドルと、前記ステッキパイプ取付部に固定されたステッキパイプと、このステッキパイプの下方側に設けられた複数の脚を有する開閉脚部と、前記ロッド通し孔に上下移動可能且つ回転可能に通された、ロック解除傾斜部を有するレバーロッドと、前記ロック解除傾斜部の下部側に形成されるあるいは設けられたロックピン掛り部と、前記レバーロッドの上部で前記握り部と前記ステッキパイプ取付部の間に設けられた前記脚の開閉操作を行う操作レバーと、前記ステッキパイプに通されて前記レバーロッドに連結されあるいは該レバーロッドと一体形成され且つ前記開閉脚部に連結されてなるインナーシャフトと、前記レバーロッドあるいは前記インナーシャフトに設けられた、前記操作レバーの回転操作により前記レバーロッドが回転させられるとねじれ付勢、引張り付勢、押え付け付勢、巻き込み付勢などの戻し付勢力が生じ、該操作レバーを解放すると該戻し付勢力により該レバーロッドおよび前記操作レバーを回転前の位置に自動的に戻し回転させるための回転戻し付勢手段と、前記インナーシャフトの下部と前記脚とを連結して、前記操作レバーの上下操作による該インナーシャフトの下部の上下可動により該脚の開閉可動が行われるようにしてなる脚開閉機構部と、前記操作レバーの上げ操作によって付勢力が強められ、それにより開き状態あるは閉じ状態となった前記脚を、その強まった付勢力により閉じ状態あるは開き状態に戻そうとする圧縮コイルバネや引っ張りコイルバネなどの脚戻し付勢手段と、前記操作レバーの引き上げ操作で前記ロックピン掛り部が掛って該操作レバーの上げ状態および前記脚の開き状態あるいは閉じ状態を自動的にロックする、圧縮コイルバネなどのロックピン付勢手段によりロック付勢状態にされてなるロックピンを有するロックピン部とからなり、前記ロックピンに前記ロックピン掛り部が掛った前記操作レバーの上がりロック状態において、該操作レバーを回転操作して前記レバーロッドを回転させると、該ロックピンの位置に前記ロック解除傾斜部の下部が位置されて該ロックピン掛り部の掛りが外れ無くなったロック解除状態となって、前記脚戻し付勢手段の付勢力により前記インナーシャフト、該レバーロッドおよび該操作レバーは下降移動して前記脚を開き可動あるいは閉じ可動させ、該下降移動による前記ロック解除傾斜部が前記ロックピンを過ぎると、前記回転戻し付勢手段の戻し付勢力により該レバーロッドおよび前記操作レバーを回転前の位置に自動的に戻し回転させるように動作するステッキを構成しているので、
ステッキのハンドルを握た手で該ハンドルを握ったまま、ハンドルを握った手で操作レバーを引き上げてその引き上げ状態を自動ロックさせ、且つ、ハンドルを握ったままその握った手で操作レバーを回転（実施の形態では１／４回転程）させてロック状態を解除させて、操作レバーを自動的に付勢下降させることができるので、片手のみでハンドルを握ったままそのハンドルを握った手により、操作レバーの引き上げ操作と下ろし操作を素早く軽快に行うことができる、すなわち、脚の開閉可動操作を素早く軽快に行うことができるという効果を得ることができる。脚の開閉可動操作がハンドルを握ったままその握った手のみで行うことができるで、ステッキを倒す危険のない軽快な操作性とスマートな使用感のステッキを実現するという効果を得ることができる。
＜請求項２記載の発明の効果＞
請求項１記載の発明の構成において、ロックピン部が、ステッキパイプを通すステッキパイプ通し孔およびロックピン可動部を有するロックピンホルダーと、前記ロックピン可動部に可動可能にセットされたロックピンと、このロックピンを常にロック付勢するロックピン付勢手段と、前記ロックピンホルダの両側に設けられた案内溝や案内突起などからなるプッシュバー案内部と、このプッシュバー案内部に支持案内されるように設けられた、一方の側に指でプッシュするプッシュ部を有し、且つ、他方には前記ロックピンホルダーの外に突出された前記ロックピンの端方を固定してなるロックピン固定部を有してなるスライドするプッシュバーとからなっていて、
前記プッシュバーの解放状態では前記ロックピン付勢手段の付勢力による自動ロック可能状態にあって、前記プッシュバーのプッシュ部を押し操作すると該プッシュバーは移動し、その移動にともなって前記ロックピンも前記ロックピン付勢手段の付勢力に抗して外側に移動してロック解除状態になるステッキを構成しているので、
ロックピンのロックの解除を操作レバーの回転操作で行えるとともに、ロックピン部のプッシュ部のプッシュ操作によっても行えるという効果を得ることができる。
【発明を実施するための最良の形態】
【０００７】  以下、図面に示す本発明を実施するための最良の形態により、本発明を詳細に説明する。但し本発明の技術的範疇をそれらに限定する主旨のものではない。【０００８】  図１ないし図１２に示す本発明を実施するための最良の第１の実施の形態において１はステッキであって、このステッキ１は次のような構成となっている。
握り部２、この握り部２と連絡し且つ該握り部２との間に適当な上下距離をあけて設けられた、上下方向に貫通したロッド通し孔３を有するステッキパイプ取付部４とからなる略コの字形態のハンドル５が設けられている。
ステッキパイプ取付部４の下部からはステッキパイプ固定穴１０が設けられ、アルミ製、超ジュラルミン製、チタン製などの軽量強靭な金属性のステッキパイプ６がステッキパイプ固定穴１０に挿入され固定されている。
ステッキパイプ６の下部には４つの脚支軸部７ａ〜７ｂ、インナーシャフト通し孔８およびステッキパイプ固定穴１１を有するアルミ製、超ジュラルミン製、チタン製などの軽量強靭な金属性のフットホルダー９が固定されている。
ステッキパイプ６の下方側フットホルダー９の脚支軸部７ａ〜７ｂには上部端を軸支された強靭な金属製の脚１２ａ〜１２ｄが軸支されて開閉脚部１３を形成している。
ロッド通し孔３には上下移動可能且つ回転可能に、下部から上方に向かって狭くなる傾斜面としてなるロック解除傾斜部１４を有し且つ底部をロックピン掛り部１５としてなるレバーロッド１６が通されている。
レバーロッド１６の上部に固定され且つ握り部２とステッキパイプ取付部４との間に位置された、その下部端にゴム製や合成樹脂製の石突２９を有する脚１２ａ〜１２ｄの開閉操作を行う操作レバー１７が設けられている。
ステッキパイプ６には、上方をレバーロッド１６に連結され且つ下方をインナーシャフト通し孔８に通して開閉脚部１３に連結されてなるインナーシャフト１８が通されている。
インナーシャフト１８は上部ジョイントシャフト１９と下部ジョイントシャフト２０からなっていて、上部ジョイントシャフト１９と下部ジョイントシャフト２０は略コイル形態のねじれ付勢力を生じる回転戻し付勢手段２１により連結されている。
インナーシャフト１８の下部には脚１２ａ〜１２ｄとを連結して、操作レバー１７の上下操作によるインナーシャフト１８の下部の上下可動により脚１２ａ〜１２ｄの開閉可動が行われるようにしてなるリンク機構形態の脚開閉機構部２２が設けられている。
図６に示すように回転戻し付勢手段２１は、操作レバー１７の略１／４回転操作によりレバーロッド１６および上部ジョイントシャフト１９が回転させられると、下部ジョイントシャフト２０が脚開閉機構部２２に回転できないように固定されているのでねじれて元に戻ろうとするねじれ付勢力が生じ、操作レバー１７を解放するとその戻しねじれ付勢力によりレバーロッド１６、操作レバー１７および上部ジョイントシャフト１９を回転前の位置に自動的に戻し回転させる。
ステッキパイプ６内の下方には、上部にインナーシャフト通し孔２３を有するバネ止め部２４を設け、下部にはステッキパイプ６の下部で押えられるフランジ２５を設けてなるバネホルダー２６が設けられ、このバネホルダー２６には圧縮コイルバネからなる脚戻し付勢手段２７が内設されている。
インナーシャフト１８には、脚戻し付勢手段２７の下部を受けるバネ受け部２８が固定され、脚戻し付勢手段２７が引き上げられると一体となって引き上げられ、脚戻し付勢手段２７を圧縮してその反発不勢力を強めるようになっている。それにより閉じ状態となった脚１２ａ〜１２ｄを、その強まった付勢力により開き状態に戻そうとする。
操作レバー１７の引き上げ操作でロックピン掛り部１５が掛って操作レバー１７の上げ状態および脚１２ａ〜１２ｄの閉じ状態を自動的にロックする、圧縮コイルバネなどのロックピン付勢手段３５によりロック付勢状態にされてなるロックピン３６を有するロックピン部３７を設けている。【０００９】  以上の構成により、ステッキ１の脚１２ａ〜１２ｄの開閉操作とその動作は次のように行われる。
操作レバー１７が下方にある脚１２ａ〜１２ｄの開き状態で、握り部２を握ったままその手で操作レバー１７に指を掛け引き上げると脚１２ａ〜１２ｄは閉じ状態となり、且つ、ロックピン掛り部１５がロックピン３６を過ぎるとロック付勢状態にあるロックピン３６が内側に可動し、操作レバー１７を解放するとロックピン掛り部１５がロックピン３６に掛ってロック状態となり（図６（ａ））、操作レバー１７の上方位置状態と脚１２ａ〜１２ｄの開き状態がロックされた状態となる。
ロックピン３６にロックピン掛り部１５が掛った操作レバー１７の上がりロック状態において、握り部２を握ったままの手で操作レバー１７を略１／４回転操作してレバーロッド１６を回転させると、ロックピン３６の位置にロック解除傾斜部１４の下部が位置されてロックピン掛り部１５の掛りが外れ無くなったロック解除状態となって、且つ、回転戻し付勢手段２１がねじれ不勢力が生じ（図６（ｂ））、脚戻し付勢手段２７の付勢力によりインナーシャフト１８、レバーロッド１６および操作レバー１７は下降移動して脚１２ａ〜１２ｄを開き可動させ、該下降移動によるロック解除傾斜部１４がロックピン３６を過ぎると、回転戻し付勢手段２１の戻し付勢力によりレバーロッド１６および操作レバー１７を回転前の位置に自動的に戻し回転させ（図６（ｃ））、脚１２ａ〜１２ｄは開き状態となる。【００１０】  図８、図９に示すように、ロックピン部３７は次のような構成となっている。
ステッキパイプ６を通すステッキパイプ通し孔４０およびロックピン可動部４１を有するロックピンホルダー４２と、ロックピン可動部４１に可動可能にセットされたロックピン３６と、このロックピン３６を常にロック付勢する圧縮コイルバネからなるロックピン付勢手段３５と、ロックピンホルダ４２の両側に設けられた案内溝からなるプッシュバー案内部４３，４３と、このプッシュバー案内部４３，４３にスライド可能に嵌り支持案内されるように設けられた、一方の側に指でプッシュするプッシュ部４４を有し、且つ、他方にはロックピンホルダー４２の外に突出されたロックピン３６の端方を固定してなるロックピン固定部４５を有してなるスライドするプッシュバー４６とからなっている。
４８、４９、５０はネジ穴であり、六角穴付き止めネジ（図では省略）を螺合させて、対応部材の固定、対応部材への固定を行う。
ステッキパイプ６にはロックピン３６を通すロックピン通し孔４７が設けられている。
プッシュバー４６の解放状態ではロックピン３６はロックピン付勢手段の付勢力による自動ロック可能状態にあって、プッシュバー４６のプッシュ部４４を押し操作するとプッシュバー４６は横スライドし、そのスライドにともなってロックピン３６もロックピン付勢手段の付勢力に抗して外側に移動してロック解除状態になる。
図９（ａ）：レバーロッド１６が引き上げられ、ロックピン３６がロックピン付勢手段３５で内側に押されてインナーシャフト１８に当たりロックピン掛り部１５が該３６に乗り掛った、操作レバー１７、レバーロッド１６およびインナーシャフト１８の上がり状態がロックされ、脚１２ａ〜１２ｄが閉じ状態となっている。
図９（ｂ）：図９（ａ）の状態からプッシュ部４４を押してプッシュバー４６をスライドさせ、このスライドと一体となってロックピン３６も外側に移動してステッキパイプ６の内側に入れると、ロックピン掛り部１５の掛りが解除されたロック状態解除状態となり、脚戻し付勢手段２７の付勢力により操作レバー１７、レバーロッド１６およびインナーシャフト１８の下がり、脚１２ａ〜１２ｄが開き状態となる。
図９（ｃ）（ｄ）：図９（ａ）の状態から操作レバー１７を略１／４回転させると、（ｃ）に示すようにロック解除傾斜部１４がロックピン３６上に位置する。ロック解除傾斜部１４がロックピン３６上に位置すると、ロックピン掛り部１５の掛りが解除されたロック状態解除状態となり、ロック解除傾斜部１４がロックピン３６に案内される形で、脚戻し付勢手段２７の付勢力により操作レバー１７、レバーロッド１６およびインナーシャフト１８の下がり、脚１２ａ〜１２ｄが開き状態となる。
ロック解除傾斜部１４がロックピン３６を過ぎると、回転戻し付勢手段２１の戻り不勢力より操作レバー１７およびレバーロッド１６は戻り回転して回転前の元の位置に戻る。【００１１】  図１１、図１２に示すようにレバーロッド１６は次のような構成となっている。
無垢材からなるロッド本体５３と、このロッド本体５３の下方からあけられたインナーシャフト１８を挿入し固定するためのインナーシャフト固定穴５４と、ロッド本体５３の下部から上方に向かって浅くなる形態で形成された傾斜面５５と側壁５６とからなるロック解除傾斜部１４と、操作レバー１７を固定するネジ穴５７、５８、５９と、インナーシャフト１８を固定するネジ穴６０とからなっている。インナーシャフト１８いはネジ穴６０に螺合された止めネジを通すネジ通し穴（図示せず）が設けられている。【００１２】  図２、図５、図１０において、フットホルダー９は次のような構成となっている。
ホルダー本体６２と、このホルダー本体６２の上部側を形成するステッキパイプ固定穴１１を有するステッキパイプ固定部６３と、ホルダー本体６２の下部側を形成する脚１２ａ〜１２ｄの上部を回動可能に嵌め込み支持する脚嵌め込み支持部６４ａ〜６４ｂと、この脚嵌め込み支持部６４ａ〜６４ｂに設けられた脚支軸部７ａ〜７ｂと、ホルダー本体６２の中央を上下に貫通してなるインナーシャフト通し孔８とからなっている。
図２、図４、図５において、脚開閉機構部２２は次のような構成となっている。
インナーシャフト１８の下部に固定された、アーム支軸部６７ａ〜６７ｄを有するアーム支持部６６と、
アーム支軸部６７ａ〜６７ｄに上部側を回動可能に軸支され且つ脚１２ａ〜１２ｄの中ほどに設けられたアーム支軸部６８ａ〜６８ｂに下部側を軸支されたアーム６９ａ〜６９ｂとからなっている。【００１３】（発明を実施するための異なる形態）
次に、本発明を実施するための異なる形態について説明する。なお、これら本発明を実施するための異なる形態の説明に当たって、本発明を実施するための前述した実施の形態と同一構成部分には同一符号を付して重複する説明を省略する。【００１４】  図１３に示す本発明を実施するための最良の第２の実施の形態において前記第１の実施の形態と主に異なる点は、操作レバーを平板形態の操作レバー７３にし、インナーシャフト１８の開閉脚部１３内に延びる長さを長くして、その先端に脚開閉機構部２２を設けた構成とし、操作レバー７３を上がり状態で脚１２ａ〜１２ｄが開き状態となり、操作レバー７３の下がり状態で脚１２ａ〜１２ｄが閉じ状態となるステッキ７４を形成した点にある。【００１５】  図１４に示す本発明を実施するための最良の第３の実施の形態において前記第２の実施の形態と主に異なる点は、圧縮コイルバネからなる脚戻し付勢手段７７を脚開閉機構部２２とフットホルダー９との間に設けたステッキ７８を形成した点にある。
部品点数を少なくしたので、より軽量化とコスト低減を実現している。【００１６】  上述した各実施の形態において「ステッキパイプ取付部４へのステッキパイプ６の固定形態」は、ボルトによる固定、溶接や接着による固定、ステッキパイプ取付部に螺刻したネジにステッキパイプに螺刻したネジを螺合させての固定、ハンドルとステッキパイプの一体的成形による固定形態など多様な形態がある。
これは「フットホルダー９とステッキパイプ６の固定形態」「レバーロッド１６と操作レバー１７の固定形態」にも言えるものである。【００１７】  上述した各実施の形態において「回転戻し付勢手段２１」の取り付け場所は、インナーシャフト１８の中途以外に、レバーロッド１６の中途、インナーシャフト１８とレバーロッド１６の連結部位など多様な設け形態がある。
また「回転戻し付勢手段２１」の戻し付勢力形成形態は、コイル形態の捻り付勢力、弾性ゴム板などの捻り付勢力、押え付勢力、引張り不勢力、略発条形態の巻き込み付勢力や巻き戻し付勢力など多様な形態がある。
【産業上の利用可能性】
【００１８】  本発明はステッキを製造する産業で利用される。
【図面の簡単な説明】
【００１９】
【図１】本発明を実施するための最良の第１の実施の形態の脚の閉じ状態のステッキ全体斜視図および脚の開き状態のステッキ全体斜視図。
【図２】本発明を実施するための最良の第１の実施の形態の脚の開き状態斜視図。
【図３】本発明を実施するための最良の第１の実施の形態の脚のステッキの全体断面図。
【図４】本発明を実施するための最良の第１の実施の形態の脚のハンドル側と脚側の断面図。
【図５】本発明を実施するための最良の第１の実施の形態の脚のハンドル側と脚側の断面図。
【図６】本発明を実施するための最良の第１の実施の形態の脚のハンドル側の動作を示す断面図。
【図７】本発明を実施するための最良の第１の実施の形態の操作レバーの回転操作を示す斜視図。
【図８】本発明を実施するための最良の第１の実施の形態のロックピン部を示す正面図、右側面図、平面図、右側面図中央縦断面図。
【図９】本発明を実施するための最良の第１の実施の形態のロックピン、ロック解除傾斜部、ロックピン掛り部、レバーロッドの動作関係を示す断面図。
【図１０】本発明を実施するための最良の第１の実施の形態のフットホルダーの正面図、底面図。
【図１１】本発明を実施するための最良の第１の実施の形態のレバーロッドの正面図、右側面図、底面図。
【図１２】本発明を実施するための最良の第１の実施の形態のロックピン、ロック解除傾斜部、ロックピン掛り部、レバーロッドの位置関係図。
【図１３】本発明を実施するための最良の第２の実施の形態の脚閉じ状態図、脚開き状態図。
【図１４】本発明を実施するための最良の第３の実施の形態の脚閉じ状態図、脚開き状態図。
【符号の説明】
【００２０】１：ステッキ、
２：握り部、
３：ロッド通し孔、
４：ステッキパイプ取付部、
５：ハンドル、
６：ステッキパイプ、
７ａ〜７ｂ：脚支軸部、
８：インナーシャフト通し孔、
９：フットホルダー、
１０：ステッキパイプ固定穴、
１１：ステッキパイプ固定穴、
１２ａ〜１２ｄ：脚、
１３：開閉脚部、
１４：ロック解除傾斜部、
１５：ロックピン掛り部、
１６：レバーロッド、
１７：操作レバー、
１８：インナーシャフト、
１９：上部ジョイントシャフト、
２０：下部ジョイントシャフト、
２１：回転戻し付勢手段、
２２：脚開閉機構部、
２３：インナーシャフト通し孔、
２４：バネ止め部、
２５：フランジ、
２６：バネホルダー、
２７：脚戻し付勢手段、
２８：バネ受け部、
２９：石突、
３０：ワッシャ、
３５：ロックピン付勢手段、
３６：ロックピン、
３７：ロックピン部、
４０：ステッキパイプ通し孔、
４１：ロックピン可動部、
４２：ロックピンホルダ、
４３：プッシュバー案内部、
４４：プッシュ部、
４５：ロックピン固定部、
４６：プッシュバー、
４７：ロックピン通し孔、
４８：ネジ穴、
４９：ネジ穴、
５０：ネジ穴、
５１：ネジ締め具通し穴、
５３：ロッド本体、
５４：インナーシャフト固定穴、
５５：傾斜面、
５６：側壁、
５７：ネジ穴、
５８：ネジ穴、
５９：ネジ穴、
６２：ホルダー本体、
６３：ステッキパイプ固定部、
６４ａ〜６４ｂ：脚嵌め込み支持部、
６６：アーム支持部、
６７ａ〜６７ｄ：アーム支軸部、
６８ａ〜６８ｂ：アーム支軸部、
６９ａ〜６９ｂ：アーム、
７３：操作レバー、
７４：ステッキ、
７７：脚戻し付勢手段、
７８：ステッキ。
【図１】
2007275535.tif 000003
【図２】
2007275535.tif 000004
【図３】
2007275535.tif 000005
【図４】
2007275535.tif 000006
【図５】
2007275535.tif 000007
【図６】
2007275535.tif 000008
【図７】
2007275535.tif 000009
【図８】
2007275535.tif 000010
【図９】
2007275535.tif 000011
【図１０】
2007275535.tif 000012
【図１１】
2007275535.tif 000013
【図１２】
2007275535.tif 000014
【図１３】
2007275535.tif 000015
【図１４】
2007275535.tif 000016